(57)【要約】【課題】圧板部を持ち上げる場合の操作性を損ねることなく、機器全体の高さを抑制できる画像形成装置を提供する。【解決手段】原稿が載置されるプラテンガラス４ｃを上面に有する本体部Ａと、本体部Ａの上面に対して開閉可能な圧板部Ｂと、この圧板部Ｂを手動で開閉操作するための操作部と、を備えた画像形成装置であって、操作部は、圧板部Ｂ側に形成される第１操作凹部２０と、本体部Ａ側に形成される第２操作凹部２１と、を備え、圧板部Ｂを閉じた状態で第１操作凹部２０と第２操作凹部２１が合わさって１つの開口部を形成するように構成した。【選択図】図３
2008129257.tif 000002
【特許請求の範囲】
【請求項１】
原稿が載置される原稿載置面を上面に有する本体部と、本体部の上面に対して開閉可能な圧板部と、この圧板部を手動で開閉操作するための操作部と、を備えた画像形成装置であって、
前記操作部は、圧板部側に形成される第１操作凹部と、本体部側に形成される第２操作凹部と、を備え、
前記圧板部を閉じた状態で第１操作凹部と第２操作凹部が合わさって１つの開口部を形成するように構成したことを特徴とする画像形成装置。
【請求項２】
本体部の上部前面側に張り出した操作パネル部を備えており、この操作パネル部が、前記第１操作凹部及び第２操作凹部のちょうど前面側に位置すると共に、これらの左右方向の幅寸法も略一致させていることを特徴とする請求項１に記載の画像形成装置。
【請求項３】
前記第２操作凹部は、外装カバー部材の前面側に位置する段部として形成され、この段部の下面側に、前記操作パネル部を構成するためのパネルカバー部材が取り付けられることを特徴とする請求項２に記載の画像形成装置。
【発明の詳細な説明】
【技術分野】
【０００１】
本発明は、原稿が載置される原稿載置面を上面に有する本体部と、本体部の上面に対して開閉可能な圧板部と、この圧板部を手動で開閉操作するための操作部と、を備えた画像形成装置に関するものである。
【背景技術】
【０００２】
かかる画像形成装置（ファクシミリ装置、デジタル複合機、複写機など）は、本体部の上面に設けられた原稿載置面に原稿を載置し、載置された原稿を押圧できるように圧板部が本体部に対して開閉可能に構成されている。圧板部を開閉するためのヒンジ部は、本体部の奥側に設けられており、手前側にある操作部により、圧板部を上下に開閉操作することができる。この圧板部を開閉操作するための操作部としては、下記特許文献１に開示される構造が一般的である。この画像形成装置の圧板部は、手前側に操作凹部が形成されており、この操作凹部に指を挿入することで、圧板部を上方に持ち上げることができる。
【０００３】
【特許文献１】特開２００２−３６５７４２号公報
【発明の開示】
【発明が解決しようとする課題】
【０００４】
この圧板部は、原稿を押さえつける押圧シートと、プラテンカバーを備えており、操作凹部を圧板部に形成すると、その分だけの高さスペースを確保しなければならなくなる。従って、プラテンカバーの高さが高くなり、機器全体の高さも高くなる。高さを抑制するために、操作凹部の高さ方向の寸法を短くすると、指の挿入が難しくなり操作勝手が悪くなる。
【０００５】
本発明は上記実情に鑑みてなされたものであり、その課題は、圧板部を持ち上げる場合の操作性を損ねることなく、機器全体の高さを抑制できる画像形成装置を提供することである。
【課題を解決するための手段】
【０００６】
上記課題を解決するため本発明に係る画像形成装置は、
原稿が載置される原稿載置面を上面に有する本体部と、本体部の上面に対して開閉可能な圧板部と、この圧板部を手動で開閉操作するための操作部と、を備えた画像形成装置であって、
前記操作部は、圧板部側に形成される第１操作凹部と、本体部側に形成される第２操作凹部と、を備え、
前記圧板部を閉じた状態で第１操作凹部と第２操作凹部が合わさって１つの開口部を形成するように構成したことを特徴とするものである。
【０００７】
この構成による画像形成装置の作用・効果を説明する。この画像形成装置は、本体部と本体部に対して手動で開閉操作される圧板部を備えている。この圧板部を開閉操作するための操作部として、圧板部側に形成される第１操作凹部と、本体部側に形成される第２操作凹部とを備えている。圧板部を閉じた状態にすると、第１操作凹部と第２操作凹部が合わさって１つの開口部が形成される。すなわち、圧板部側のみに操作凹部を形成するのではなく、圧板部側と本体部側とで１つの開口が形成される。従って、圧板部に形成される操作凹部の高さ方向の寸法を抑制することができる。また、圧板部側と本体部側とで１つの開口部を形成するようにしており、指を挿入するために必要なスペースも確保することができる。その結果、圧板部を持ち上げる場合の操作性を損ねることなく、機器全体の高さを抑制できる画像形成装置を提供することができる。
【０００８】
本発明において、本体部の上部前面側に張り出した操作パネル部を備えており、この操作パネル部が、前記第１操作凹部及び第２操作凹部のちょうど前面側に位置すると共に、これらの左右方向の幅寸法も略一致させていることが好ましい。
【０００９】
かかる操作パネル部は、コピー枚数や記録紙の設定、ＦＡＸ送信設定などの種々の操作を行なうために設けられている。この操作パネル部を第１・第２操作凹部のちょうど前面側に配置し、左右方向の幅寸法も略一致させることで、外観的に自然な形で操作凹部を設けることができる。
【００１０】
本発明において、前記第２操作凹部は、外装カバー部材の前面側に位置する段部として形成され、この段部の下面側に、前記操作パネル部を構成するためのパネルカバー部材が取り付けられることが好ましい。
【００１１】
本体部の外観を構成する外装カバー部材の前面側に段部を形成することで、第２操作凹部として機能させることができる。操作パネル部における外観を構成するために、外装カバー部材とは別にパネルカバー部材が設けられている。段部を形成することで、外装カバー部材の強度を保持することができ、また、パネルカバー部材を段部の下面側に取り付けているので、パネルカバー部材の取り付け強度も保持することができる。
【発明を実施するための最良の形態】
【００１２】
本発明に係る画像形成装置を図面を用いて説明する。図１は、画像形成装置の外観構成を示す斜視図である。図２は、圧板部を開いた状態の外観斜視図である。
【００１３】
この画像形成装置は、大きく分けて本体部Ａと圧板部Ｂにより構成される。本体部Ａの内部には画像形成のために必要な主要な機構が設けられている。記録紙カセット１は、Ａ３，Ａ４などの所定のサイズの記録紙が収容される。記録紙カセット１は、本体部Ａの手前側に出し入れ可能な構成である。
【００１４】
画像記録部２は、本体部Ａの内部に電子写真式の記録装置を備えており、感光体ドラム、帯電器、レーザーによる光書き込みユニット、現像器、転写器、定着器などにより構成される。記録紙カセット１から繰り出された記録紙は、この画像記録部２において画像が形成され、排出トレイ３に排出される。
【００１５】
画像読み取り部４は、装置の左側端部に位置するＡＤＦ読み取り部４ａと、フラットヘッドスキャナー部（ＦＢＳ）４ｂとを備えている。ＡＤＦ読み取り部４ａは、圧板部Ｂに設けられている自動原稿送り装置（ＡＤＦ）１０により送られてくる原稿の画像を読み取るものである。ＦＢＳ４ｂは、上面にプラテンガラス４ｃ（原稿載置面に相当）が設けられ、原稿が上に載せられる。プラテンガラス４ｃの下方（内部）には、不図示の読み取り走査装置（ラインセンサー）が設けられており、プラテンガラス４ｃの下方を左右に移動しながら、原稿画像を読み取る。ＡＤＦ読み取り部４ａで原稿画像を読み取る場合には、その位置で読み取り走査装置を停止させた状態で、ＡＤＦ１０により搬送されてくる原稿の画像が読み取られる。
【００１６】
操作パネル部５は、本体部Ａの上部において、手前側に張り出すように設けられている。操作パネル部５には、各種の操作ボタンや液晶などによる操作表示部が設けられている。操作パネル部５により、コピー枚数や記録紙の設定、ＦＡＸ送信設定などの種々の操作が行なわれる。
【００１７】
圧板部Ｂは、本体部Ａの奥側に設けられたヒンジ機構６により開閉操作することができる。プラテンガラス４ｃの上に原稿を載せるためには、圧板部Ｂを上方に持ち上げてプラテンガラス４ｃの面を開放させる。原稿を取り出すときも同様である。圧板部Ｂの上部には、ＡＤＦ１０と共に、原稿トレイ１１が設けられている。この原稿トレイ１１に原稿を載せることで、ＡＤＦ１０による原稿搬送を行なうことができ、ＡＤＦ読み取り部４ａにおける画像読み取りが行なわれる。
【００１８】
圧板部Ｂの外観は、プラテンカバー１２により構成されており、このプラテンカバー１２の裏面には押圧シート１３が取り付けられ、プラテンガラス４ｃの上に載置された原稿を押え付ける。
【００１９】
＜操作部の構成＞
次に、圧板部Ｂを開閉操作するための操作部の構成について説明する。図３は、画像形成装置の上部のみを示す拡大斜視図、図４は、操作部およびカバー構成を示すための断面斜視図、図５は、操作部及びカバー構成を示すための縦断面図である。図６は、圧板部の裏面側を示す斜視図である。
【００２０】
操作部を構成するために、圧板部Ｂ側に第１操作凹部２０が設けられている。第１操作凹部２０は、プラテンカバー１２の前側端部に形成される段部として提供される。また、本体部Ａ側に第２操作凹部２１が設けられている。第２操作凹部２１は、本体部Ａの上部カバー２２の上部前面端部に形成される段部として提供される。
【００２１】
第１操作凹部２０の左右方向の幅寸法Ｗ１と、第２操作凹部２１の左右方向の幅寸法Ｗ２は、同一（もしくはほぼ同一）である。また、第１・第２操作凹部２０，２１が設けられる左右方向の位置も同一（もしくはほぼ同一）である。従って、圧板部Ｂを閉じた状態で、第１操作凹部２０と第２操作凹部２１により、１つの開口部が形成され、指を挿入することができる。図５に示すように、第１・第２操作凹部２０，２１の奥行き寸法Ｘもほぼ同一である。この奥行き寸法Ｘは、指による操作が行ないやすいような寸法が設定される。
【００２２】
従って、操作部として機能する開口部の高さ寸法Ｈ（図５参照）は、第１操作凹部２０の高さ寸法Ｈ１と第２操作凹部２１の高さ寸法Ｈ２を加算した寸法となる。この寸法Ｈは、指の挿入しやすさを考慮して決めることができる。かかる構成によれば、圧板部Ｂに形成する操作凹部の高さは、Ｈではなく、Ｈ１であるから圧板部Ａの高さを抑制することができる。その結果、画像形成装置の全体高さも抑制することができる。また、本体部１側にも第２操作凹部２１を形成しているので、開口部の高さ寸法Ｈは、操作性を考慮して十分に確保することができる。従って、圧板部Ｂの開閉動作の操作性を損ねることはない。
【００２３】
また、操作パネル部５の左右方向の寸法Ｗ３についても、第１・第２操作凹部２０，２１の寸法Ｗ１，Ｗ２と同一（もしくはほぼ同一）としている。従って、操作パネル部５は、第１・第２操作凹部２０，２１のちょうど手前側に位置することになる。従って、外観的に自然な形で操作凹部２０，２１と操作パネル部５を配置することができ、見栄えを損ねることがない。また、操作パネル部５の操作面５ａは、手前側に行くほど下に傾斜している。従って、第１・第２操作凹部２０，２１に指を挿入する時に、操作パネル部５が邪魔になることがない。
【００２４】
図３に示すように、ＡＤＦ１０は装置の左側に位置しており、これに隣接する形で、第１・第２操作凹部２０，２１、操作パネル部５が配置されている。すなわち、第１・第２操作凹部２０，２１、操作パネル部５は、全体的に右寄りの配置となっており、操作部や操作パネル部５を操作する場合の操作性をよくしている。
【００２５】
図５にプラテンカバー１２の断面形状を示しているが、前部端面に段差を形成することで、プラテンカバー１２自身の補強効果を高めている。特に、プラテンカバー１２の前面部は、操作パネル部５の存在により、カバー形状が前端部で切れた形になっており、強度的に低下する要素を内在しているが、段部を形成することで所望の強度を確保することができる。
【００２６】
操作パネル部５の外観表面を形成するパネルカバー部材５ｂの後端部５ｃは、図５に示すように、上部カバー２２の段部の下面側でネジ２３により締結される。これにより、パネルカバー部材５ｂ自身の取り付け強度を確保することができ、上部カバー２２とパネルカバー部材５ｂを結合した状態での全体強度も確保することができる。
【００２７】
図６は、プラテンカバー１２の裏面側を示しており、第１操作凹部２０の上側には、多数のリブ２０ａが形成されている。この多数のリブ２０ａは、第１操作凹部２０の中には進入していないが、指を開口部に挿入した時に、これらリブ２０ａに指の先が当たることになる。多数のリブ２０ａにより、プラテンカバー１２に要求される強度を確保すると共に、指で操作するときの操作感触が低下しないようにしている。
【００２８】
＜別実施形態＞
本発明に係る画像形成装置の具体的な構造は、本実施形態において説明した構造に限定されるものではなく、種々の変形例が可能である。
【００２９】
図５に示すように、開口部の高さ寸法Ｈを第１・第２操作凹部２０，２１の高さ寸法Ｈ１，Ｈ２に振り分ける場合、どのように振り分けるかは適宜決めることができる。例えば、Ｈ１＝Ｈ２となるように設定してもよいし、図５に例示するようにＨ１：Ｈ２＝２：１程度になるように設定してもよい。もちろん、Ｈ２＞Ｈ１となるような設定も可能である。
【００３０】
本実施形態において、操作パネル部５の幅寸法Ｗ３を第１・第２操作凹部２０，２１の幅寸法Ｗ１，Ｗ２に合わせているが、必ずしもあわせなくてもよい。
【図面の簡単な説明】
【００３１】
【図１】圧板部を閉じた状態の画像形成装置の外観構成を示す斜視図
【図２】圧板部を開いた状態の画像形成装置の外観構成を示す斜視図
【図３】画像形成装置の上部のみを示す拡大斜視図
【図４】操作部およびカバー構成を示すための断面斜視図
【図５】操作部及びカバー構成を示すための縦断面図
【図６】圧板部の裏面側を示す斜視図
【符号の説明】
【００３２】
Ａ        本体部
Ｂ        圧板部
Ｈ，Ｈ１，Ｈ２      高さ寸法
Ｗ１，Ｗ２，Ｗ３    幅寸法
４ｃ      プラテンガラス
５        操作パネル部
５ａ      操作面
５ｂ      パネルカバー部材
５ｃ      後端部
１２      プラテンカバー
１３      押圧シート
２０      第１操作凹部
２１      第２操作凹部
２２      上部カバー
【図１】
2008129257.tif 000003
【図２】
2008129257.tif 000004
【図３】
2008129257.tif 000005
【図４】
2008129257.tif 000006
【図５】
2008129257.tif 000007
【図６】
2008129257.tif 000008